(57)【要約】【課題】点眼時における威圧感や恐怖感を払拭させ、かつ眼球の中央部への薬液滴下を正確に行なうことが容易な目薬容器を低コストで提供する。【解決手段】薬液が充填された主容器部１１と、主容器部１１の上部に設けられた投薬部１２とから成る目薬容器１０において、投薬部１２には、その略中心部に貫設され主容器部１１に通じる投薬孔１６と、投薬孔１６を覆い、柔軟な連接部材１４によって一端が投薬部１２の周縁部に連接され、かつ投薬部１２の周縁部に嵌合係止され該周縁部から嵌脱自在なキャップ部１５とを設け、かつ投薬孔１６の周囲には着色された所定径の照準環１７を設ける。【選択図】図１
2009273793.tif 000002
【特許請求の範囲】
【請求項１】
薬液が充填された主容器部と、
前記主容器部の上部に設けられた投薬部とから成る目薬容器であって、
前記投薬部は、
その略中心部に貫設され前記主容器部に通じる投薬孔と、
前記投薬孔を覆い、柔軟な連接部材によって一端が前記投薬部の周縁部に連接され、かつ前記投薬部の周縁部に嵌合係止され、該周縁部から嵌脱自在なキャップ部と、を含み、
前記投薬孔の周囲には着色された所定径の照準環が設けられていることを特徴とする目薬容器。
【請求項２】
前記投薬部は、略扁平な構造であることを特徴とする請求項１に記載の目薬容器。
【請求項３】
前記主容器部と前記投薬部とは一体構造として成型されることを特徴とする請求項１又は２に記載の目薬容器。
【発明の詳細な説明】
【技術分野】
【０００１】
本発明は、目薬容器に関するものであり、より詳細には薬液の投薬孔の周囲に着色された照準環を設けたことを特徴とする目薬容器に関するものである。
【背景技術】
【０００２】
今日、目薬容器としては、様々のデザインや機能を持った数多くの製品が世の中に広く出回っている。しかしながら、これらの目薬容器を用いて点眼を行なう際、眼球の中央部に薬液を上手に滴下させることは意外に難しく、眼球の周辺部、或いは眼球の外部に薬液を滴下しまうような事態もしばしば発生する。
【０００３】
このような、点眼時における困難性を克服して、眼球の中央部への薬液滴下を確実に実現すべく、従来から、特許文献１乃至３などに記載された発明や考案が数多く開示されている。例えば、特許文献１に開示された発明は、目薬容器の投薬部に容器本体とは異なる着色を施して投薬部の視認性を向上させ、眼球中央部への点眼を容易とするものである。
【０００４】
また、特許文献２に開示された発明は、目薬容器の投薬部の周辺に着色液を入れたタンクを設け、目薬容器の傾きを当該着色液の色むらから検知し、目薬容器が眼球中央部の直上にあることを確認して点眼の容易化を図ったものである。さらに、特許文献３に開示された考案は、目薬容器の本体の側周面に等高線状の刻み線を設け、かかる刻み線と容器内の薬液との位置関係から、目薬容器が眼球中央部の直上にあることを確認して点眼の容易性を実現させるものである。
【０００５】
【特許文献１】特開２００３−０３３４２２号公報
【特許文献２】特開２００７−０３７７７５号公報
【特許文献３】実用新案登録３１１８７６６号公報
【発明の開示】
【発明が解決しようとする課題】
【０００６】
しかしながら、点眼時においては目薬容器の投薬部を眼球に近接させるため、眼球に映る投薬部先端の映像はその輪郭自体がぼやけてしまい、たとえ特許文献１に開示された発明のように投薬部を目薬容器本体とは異なる色彩としても、それによって投薬孔の眼球中央部への照準が定まるという効果は期待し難いという問題がある。
【０００７】
また、特許文献２或いは３に開示された発明は、特殊構造の着色液タンクを目薬容器の本体に別途設ける必要があることや、容器自体を特殊な構造とすることから容器の製造工程が複雑となり製品コストの上昇を招くという欠点があった。
【０００８】
さらに、これら従来からの目薬容器は、投薬部の先端が何れも容器本体から突設された構造になっているため、点眼の際に投薬部を眼球に近接させた場合、点眼を行なう者に対して威圧感や恐怖感を与え、眼球中央部への薬液滴下の照準をより難しくするという問題を内包していた。
【０００９】
本発明は、このような従来からの課題を解決することを目的とするものであって、より具体的には、点眼時における眼球中央部への薬液滴下を、容易かつ正確に実現し得る目薬容器を提供することを目的とする。
【課題を解決するための手段】
【００１０】
本発明の第１の観点による目薬容器は、前述の目的を達成するため、薬液が充填された主容器部と、前記主容器部の上部に設けられた投薬部とから成る目薬容器であって、前記投薬部は、その略中心部に貫設され前記主容器部に通じる投薬孔と、前記投薬孔を覆い、柔軟な連接部材によって一端が前記投薬部の周縁部に連接され、かつ前記投薬部の周縁部に嵌合係止され、該周縁部から嵌脱自在なキャップ部とを含み、前記投薬孔の周囲には着色された所定径の照準環が設けられていることを特徴とする。
【００１１】
したがって、このような構成によれば、投薬孔を覆っているキャップ部を容易に投薬部から嵌脱させることができ、キャップ部は常に連接部材によって投薬部に繋がれているのでこれを紛失する恐れもない。さらに、投薬孔の周囲には着色された所定径の照準環が設けられているので、点眼時における投薬孔への照準が容易となり、薬液を眼球の中央部へ正確に滴下することができる。
【００１２】
また、本発明の第２の観点による目薬容器は、上記第１の観点において、前記投薬部は略扁平な構造であることを特徴とする。したがって、このような構成によれば、投薬部が目薬容器の本体から突出しておらず、点眼の際に投薬部を眼球に近接させた場合でも、点眼を行なう者に対して威圧感や恐怖感を与えるおそれはない。
【００１３】
また、本考案の第３の観点による目薬容器は、上記第１又は第２の観点において、前記主容器部と前記投薬部とは一体構造として成型されることを特徴とする。したがって、このような構成によれば、主容器部と前記投薬部とを一体成型できるので、目薬容器全体としての製造工程が簡素化され製造コストの低減を図ることができる。
【発明の効果】
【００１４】
本発明によれば、点眼時における威圧感や恐怖感を払拭させ、かつ眼球の中央部への薬液滴下を正確に行なうことの容易な目薬容器を低コストで提供することが可能となる。
【発明を実施するための最良の形態】
【００１５】
本発明を実施するための最良の形態である実施例について、添付図面の図１乃至３を参照しつつ以下に説明を行う。
【００１６】
先ず、本実施例による目薬容器１０の構造を図１ａ及び１ｂに示す。図１ａの斜視図において、主容器部１１は、目薬の薬液が充填されたポリ・エチレンやポリ・カーボネート等の高分子材料を用いた薬液容器である。主容器部１１は、必要に応じて適度の柔軟性を有しており、点眼時にはその側周面や底面を圧迫することによって、後述する投薬孔１６を通じて内部の薬液を容易に摘出させることが可能な構造となっている。
【００１７】
投薬部１２は、主容器部１１と同様の高分子素材から作られており、容器部１１の上部に添着された構造となっている。投薬部１２を容器部１１に着設するには、例えば、投薬部１２の基部１３を容器部１１の開孔部に押し込んで両者を嵌合させるようにしても良いし、或いは、基部１３と開孔部の双方にネジ部を設けて両者を螺合させるようにしても良い。さらに、投薬部１２と容器部１１とを同一の部材から一体成型する構造としても良い。
【００１８】
投薬部１２の一端にはヒンジ部１４が設けられており、ヒンジ部１４をいわゆるヒンジ（蝶番）としてキャップ部１５が投薬部１２に連接されている。キャップ部１５も他の部材と同様に柔軟な高分子素材によって形作られているので、外部から加える応力によって容易にその形状を撓めることができる。
【００１９】
したがって、目薬容器１０の未使用時においては、キャップ部１５は投薬部１２の周縁部に、いわば「パチン」と嵌めこまれた形で嵌合係止されている（図１ｂを参照）。一方、その使用時には、手の指や爪などを用いてキャップ部１５を撓めることにより、容易にキャップ部１５を投薬部１２の周縁部から外すことができる。
【００２０】
なお、かかるキャップ部１５の嵌脱操作をさらに容易にすべく、例えば、キャップ部１５の一端に指を掛けられるような突起部を設けたり、或いは投薬部１２の周縁部に爪を差し込めるような切り欠き部を設けるようにしてもよい（何れも図示せず）。
【００２１】
キャップ部１５は、ヒンジ部１４を介して投薬部１２の周縁部に連接・係止されているので、キャップ部１５を投薬部１２から外した状態においても、外したキャップ部１５が床などに転落して汚染されてしまうおそれはない。また、キャップ部１５は、目薬容器１０と一体不可分であるため、外したキャップ部１５を紛失するおそれもない。
【００２２】
なお、外したキャップ部１５が点眼動作の邪魔とならないようにするため、ヒンジ部１４の各部の寸法や、投薬部１２への取付け位置等の各要素を適宜調整して、キャップ部１５を投薬部１２から外した際に、キャップ部１５の冠部が主容器部１１の側周部に触れる位置にまでキャップ部１５が展開できるようにすることが好ましい。
【００２３】
一方、投薬部１２の略中心部には投薬孔１６が穿かれており、主容器部１１内に充填されている薬液は、かかる投薬孔１６を通して外部に摘出される。また、投薬部１２の周囲には照準環１７が設けられている。照準環１７は、投薬部１２の素材色と異なる色の塗料を投薬部１２の上面に環状に塗布して描くようにしても良いし、着色された環状シールを投薬部１２の上面に貼り付けるようにしても良い。或いは、着色された環状部材を投薬部１２の上面に埋め込んで構成するようにしても良い。
【００２４】
なお、図１ａ及び１ｂに示される目薬容器１０の構造は、本発明の実施の一例を示すものであり、本発明の実施による目薬容器の形状がかかる事例のみに限定されることを意味するものではない。したがって、主容器部１１の形状は、例えば、四角の箱型や円形の太鼓型など、実際の実施態様に応じて自在に設定することが可能である。同様に、投薬部１２やヒンジ部１４、或いはキャップ部１５などの形状に関しても、実施態様に応じて任意の形状を取り得ることはいうまでもない。
【００２５】
次に、投薬部１２における投薬孔１６と照準環１７の関係について、図２ａ及び２ｂに基づいて説明を行なう。なお、図２の各図においては、かかる説明と直接的な係わり合いが無いため、主容器部１１、ヒンジ部１４、及びキャップ部１５の図示並びに記載を省略している。
【００２６】
先ず、投薬部１２上面における投薬孔１６と照準環１７との相対的な位置関係を投薬部１２の平面図（図２ａ）に示す。同図に示されるように、照準環１７は、投薬孔１６を中心とする内径ａ及び外径ｂからなるドーナツ状の環状円である。因みに、照準環１７の内径ａ及び外径ｂの寸法は、実際の使用態様に応じて適宜変更し得るものであるが、実用上においては照準環１７の環状部の幅（ｂ−ａ）は、投薬部１２上面の半径の１／８〜１／２程度の値に設定することが好ましい。
【００２７】
また、投薬部１２の上面は完全な平面ではなく、例えば、図２ｂの投薬部１２の略式断面図に示されるように、その周縁部から投薬孔１６の中心方向に向かって徐々に盛り上がるような構造としても良い。因みに、このような構造とすることによって、キャップ部１５を閉じた状態において、キャップ部１５の内面と投薬孔１６との密着性が高まり、目薬容器１０の未使用時における投薬孔１６からの薬液の漏れ、或いは薬液の蒸発を効果的に防止することができる。
【００２８】
また、かかる密着性をさらに高めるべく、例えば、キャップ部１５の内面において、投薬孔１６と対向する位置に、投薬孔１６の開口部と嵌合してこれを封止するような突起部（図示せず）を設けるようにしてもよい。
【００２９】
次に、本実施例による目薬容器１０を用いた点眼時の動作について、添付の図３に基づいて説明を行なう。先ず、点眼を行なう際には、図３ａの説明図に示されるとおり、点眼者は目薬容器１０を保持しつつ投薬部１２を眼球３０の上で移動させる。然る後に点眼者は、投薬孔１６が眼球３０の直上となる位置に照準をつけて、薬液２０を眼球３０の中央に滴下する。
【００３０】
本実施例による目薬容器１０においては、かかる照準を定める際に、点眼者は照準環１７を指標にして照準を定めることができる。この場合、投薬部１２が眼球３０に近接しているため、点眼者の視認し得る照準環１７の映像は、図３ｂの説明図に示されるような輪郭がぼやけたリング状の映像となる。
【００３１】
ところで、このようなリング状の映像は、たとえその輪郭がぼやけていても、その視認性は極めて良好であることが経験則として広く認知されている。例えば、一般の視力検査で用いられる著名なランドルト環（円環の一部が欠損した略Ｃ字型の視力検査記号）も、かかる原則を応用したものである。また、いわゆるレッド・グリーンテストとして知られている遠・近視検査においても、同様の理由から赤及び緑の円環指標が用いられていることは周知の事実である。
【００３２】
さらに、軍用小銃の分野においても照門（小銃後部にあるリアサイト）の覗き穴を非常に大きくしたものが、いわゆるゴーストリングサイトとして知られている。因みに、ゴーストリングサイトとは、このような大きな覗き穴の照門を用いて照準をつけた際に、照門映像がぼやけ、お化け（ｇｈｏｓｔ）のような輪（ｒｉｎｇ）として照門が狙撃者に視認されることに由来している。このようにぼやけたリング状の照門映像は、狙撃者にとって素早い照準が付け易いため、主に近接接近戦闘において広く用いられている。
【００３３】
したがって、本実施例による目薬容器１０を使用した場合、点眼者は、図３ｂに示されるようなぼやけたリング状映像に基づいて、迅速かつ容易に、投薬孔１６を眼球３０の直上となる位置に照準することが可能となり、薬液２０を眼球３０の中央部に確実に滴下させることができる。
【００３４】
また、本実施例による目薬容器１０の投薬部１２は、目薬容器１０の本体から突出しておらず略扁平な構造であるので、点眼時に投薬部１２を眼球３０に近接させた場合でも点眼者に恐怖感や威圧感を与えるおそれはない。このため、点眼の対象者が子供や幼児の場合でも容易に点眼を行なうことができる。
【００３５】
以上に説明したように、本発明によれば、点眼の際に薬液を眼球中央に滴下し得る照準の容易な目薬容器を低コストで実現することができる。また、点眼時における恐怖感や威圧感を払拭できるため、点眼時の正確性をさらに高めることが可能となる。
【００３６】
なお、本発明の実施形態は、以上に説明した各実施例に限定されるものではなく、例えば、各々の実施例を構成する各部位の形状や配置、或いはその素材等は、本発明の趣旨を逸脱することなく、現実の実施態様に即して適宜変更ができるものであることは言うまでもない。
【産業上の利用可能性】
【００３７】
以上に説明した本発明の構成は、点眼用の目薬容器等においてその利用が可能である。
【図面の簡単な説明】
【００３８】
【図１】本発明の実施例である目薬容器の構造を示す斜視図である。
【図２】図１に示された目薬容器の投薬部の構造を説明する図である。
【図３】図１に示された目薬容器の使用時における動作を説明する図である。
【符号の説明】
【００３９】
１０    …  目薬容器
１１    …  主容器部
１２    …  投薬部
１３    …  投薬部基部
１４    …  ヒンジ部
１５    …  キャップ部
１６    …  投薬孔
１７    …  照準環
２０    …  薬液
３０    …  眼球
【図１】
2009273793.tif 000003
【図２】
2009273793.tif 000004
【図３】
2009273793.tif 000005